(57)【要約】【課題】複数の入力ペンを備えたプロジェクターで、それぞれの入力ペンの操作軌跡が重なるのを防止できるプロジェクターを提供する。【解決手段】プロジェクター１の動作中において、スクリーンＳＣの被投写面に対して、一の入力ペンの入力操作を検出した場合（ステップＳ１０１）、他の入力ペンに一の入力ペンが使用中であることを通知し（ステップＳ１０６）、それぞれの入力ペンの入力可能範囲を変更する（ステップＳ１０７）ことを特徴とする。【選択図】図５
2014099023.tif 000002
【特許請求の範囲】
【請求項１】
操作面に対する指示体の入力操作を検出する操作検出手段と、
前記指示体による入力操作に基づく制御を行う制御手段と、を有し、
前記制御手段は、前記指示体による入力操作の入力可能範囲を設定する入力範囲設定手段を有し、前記入力範囲設定手段は、前記操作検出手段の検出結果に基づき、第一の前記指示体の入力操作が検出されている場合に、前記第一の指示体とは異なる第二の前記指示体の入力操作が検出されたとき、それぞれの前記指示体の入力可能範囲を変更することを特徴とする、情報処理装置。
【請求項２】
請求項１に記載の情報処理装置であって、
前記指示体それぞれの優先度を設定する優先度設定手段をさらに備え、
前記制御手段は、前記第一の指示体の入力操作が検出されている場合に、前記第二の前記指示体の入力操作が検出されたとき、前記優先度が低い前記指示体の入力操作を無効とする、ことを特徴とする、情報処理装置。
【請求項３】
請求項１または２に記載の情報処理装置であって、
前記第一の指示体に前記第二の指示体の使用状態を通知する通知手段、をさらに備えたことを特徴とする、情報処理装置。
【請求項４】
請求項１〜３のいずれか一項に記載の情報処理装置と、
画像を投写する画像投写手段と、を備え、
前記制御手段は、前記指示体の入力操作に基づく操作画像を投写する、ことを特徴とする、プロジェクター。
【請求項５】
操作面に対する指示体の入力可能範囲を設定する入力範囲設定手段を備えた情報処理装置の制御方法であって、
前記操作面に対する前記指示体の入力操作を検出する操作検出ステップと、
前記操作検出ステップの検出結果に基づき、第一の前記指示体の入力操作が検出されている場合に、前記第一の指示体とは異なる第二の前記指示体の入力操作が検出されたとき、それぞれの前記指示体の入力可能範囲を変更する入力範囲変更ステップと、を有することを特徴とする、情報処理装置の制御方法。
【発明の詳細な説明】
【技術分野】
【０００１】
本発明は、操作面上に指示体によって入力操作を行う情報処理装置、画像を投写するプロジェクター、および情報処理装置の制御方法に関する。
【背景技術】
【０００２】
学校の授業やプレゼンテーションなどで、プロジェクターにより投写した画像に文字や図形を書きこんで説明したいことがある。この場合、画像データを入力するパーソナルコンピューター（パソコン／ＰＣ）の画面上でマウスなどのポインディングデバイスを操作し、文字や図形を入力する方法の他、近年では下記の特許文献１のように、スクリーン上に投写した画像上でペン型の入力装置を操作し、文字や図形を書きこむ装置が開示されている。
【先行技術文献】
【特許文献】
【０００３】
【特許文献１】特開２０１１−１４０１５４号公報
【発明の概要】
【発明が解決しようとする課題】
【０００４】
しかしながら、特許文献１の装置では複数のペン型の入力装置（入力ペン）を扱う場合、それぞれの軌跡が重なってしまい、どちらの入力装置の軌跡なのかわからなくなってしまうことがあった。また、それぞれの入力ペンの座標入力可能範囲を設定した場合、入力ペンを１本しか使っていない場合にも座標入力可能範囲が制限されてしまい、使いにくくなるという問題があった。
【課題を解決するための手段】
【０００５】
本発明は、上述の課題の少なくとも一部を解決するためになされたものであり、以下の形態または適用例として実現することが可能である。
【０００６】
［適用例１］本適用例に係る情報処理装置は、操作面に対する指示体の入力操作を検出する操作検出手段と、前記指示体による入力操作に基づく制御を行う制御手段と、を有し、前記制御手段は、前記指示体による入力操作の入力可能範囲を設定する入力範囲設定手段を有し、前記入力範囲設定手段は、前記操作検出手段の検出結果に基づき、第一の前記指示体の入力操作が検出されている場合に、前記第一の指示体とは異なる第二の前記指示体の入力操作が検出されたとき、それぞれの前記指示体の入力可能範囲を変更することを特徴とする。
【０００７】
本適用例によれば、複数のペン型入力装置などの指示体を、画面が表示された操作面上で操作する場合、それぞれの指示体の入力可能範囲が予め設定され、ある指示体を操作している場合に、他の指示体の操作が検出されたとき、それぞれの指示体の入力可能範囲を変更する。これにより、一つの指示体を操作する場合は操作面上の大きな範囲で入力でき、複数の指示体が使われる場合はそれぞれの指示体の入力可能範囲を分けることで、操作画像が重なることを防ぐことが可能となる。
【０００８】
［適用例２］上記適用例に記載の情報処理装置において、前記指示体それぞれの優先度を設定する優先度設定手段をさらに備え、前記制御手段は、前記第一の指示体の入力操作が検出されている場合に、前記第二の前記指示体の入力操作が検出されたとき、前記優先度が低い前記指示体の入力操作を無効とする、ことを特徴とする。
【０００９】
本適用例によれば、優先度の高い指示体が操作されている間は優先度の低い指示体の入力操作を無効とする。これにより、複数の指示体を使用する情報処理装置において、優先度の高い指示体による入力操作が、優先度の低い他の指示体の入力操作により妨げられることを防止することが可能となる。
【００１０】
［適用例３］上記適用例に記載の情報処理装置において、前記第一の指示体に前記第二の指示体の使用状態を通知する通知手段、をさらに備えたことを特徴とする。
【００１１】
本適用例によれば、操作面上で複数の指示体が使用される場合に、他に使用されている指示体があることを通知し、入力操作範囲に注意することを促すことが可能となる。
【００１２】
［適用例４］本適用例に係るプロジェクターは、上記適用例に記載の情報処理装置と、画像を投写する画像投写手段と、を備え、前記制御手段は、前記指示体の入力操作に基づく操作画像を投写する、ことを特徴とする。
【００１３】
本適用例によれば、画像を投写するプロジェクターの投写画面上で、複数のペン型入力装置などの指示体を操作する場合、入力範囲を分けることでそれぞれの指示体の操作画像が重なるのを防ぐことが可能となる。
【００１４】
［適用例５］本適用例に係る情報処理装置の制御方法は、操作面に対する指示体の入力可能範囲を設定する入力範囲設定手段を備えた情報処理装置の制御方法であって、前記操作面に対する前記指示体の入力操作を検出する操作検出ステップと、前記操作検出ステップの検出結果に基づき、第一の前記指示体の入力操作が検出されている場合に、前記第一の指示体とは異なる第二の前記指示体の入力操作が検出されたとき、それぞれの前記指示体の入力可能範囲を変更する入力範囲変更ステップと、を有することを特徴とする。
【００１５】
本適用例によれば、複数のペン型入力装置などの指示体を画面が表示された操作面上で操作する場合、それぞれの指示体の入力可能範囲が予め設定され、ある指示体を操作している場合に、他の指示体の操作が検出されたとき、それぞれの指示体の入力可能範囲を変更する。これにより、一つの指示体を操作する場合は操作面上の大きな範囲で入力でき、複数の指示体が使われる場合はそれぞれの指示体の入力可能範囲を分けることで操作画像が重なるのを防ぐことが可能となる。
【図面の簡単な説明】
【００１６】
【図１】プロジェクターの使用状態を示す図。
【図２】入力ペンの外観図。
【図３】入力ペンの入力可能範囲を示す図。
【図４】プロジェクターの回路構成を示すブロック図。
【図５】プロジェクターが入力ペンの入力操作を検出した場合の動作を示すフローチャート。
【図６】入力ペンの入力操作を最後に検出してから所定時間が経過した場合の動作を示すフローチャート。
【図７】変形例のプロジェクターの入力ペンの入力可能範囲を示す図。
【発明を実施するための形態】
【００１７】
以下、図面を参照して本発明の一実施形態である情報処理装置を用いたプロジェクター１について説明する。
なお、以下の実施形態は特許請求の範囲にかかる発明を限定するものではなく、また、実施形態における特徴の組み合わせの全てが発明の解決手段に必須であるとは限らない。
【００１８】
（第１実施形態）
図１は本実施形態のプロジェクター１の使用状態を示す図である。
図１に示すように、プロジェクター１が画像を投写するスクリーンＳＣの被投写面上で、ユーザーが入力ペン４０を使って入力操作による描画を行うと、プロジェクター１はスクリーンＳＣの被投写面に、入力操作に基づいた操作画像を投写する。プロジェクター１とスクリーンＳＣは、ユーザーの入力ペン４０による入力操作が検出可能な位置に設置させる。なお、本実施形態におけるスクリーンＳＣの被投写面が操作面に相当する。
【００１９】
図２は入力ペン４０の外観図である。
図２に示すように、入力ペン４０は先端が尖ったペン型の筐体４０Ａに収納されており、筐体４０Ａの先端にペン先スイッチ４０Ｂ、筐体４０Ａの胴体部分に操作スイッチ４０Ｃ、および状態表示手段４０Ｄを備える。
状態表示手段４０ＤはＬＥＤ（Light Emitting Diode）などで構成され、他の入力ペン４０が使用中か否かを表示するものである。
筐体４０Ａの内部には入力ペン４０の操作信号をペン操作検出手段２５に送信し、通知手段２６より他の入力ペン４０の使用状態を受け付ける通信手段４０Ｅを備える。
ペン先スイッチ４０Ｂがマウスの左ボタン、操作スイッチ４０Ｃがマウスの右ボタンに相当する。状態表示手段４０Ｄは通信手段４０Ｅが受け付けた他の入力ペン４０の使用状態を表示する。
なお、本実施形態における入力ペン４０が指示体に相当する。
【００２０】
図３は本実施形態の入力ペン４０の入力可能範囲を示す図である。
図３（ａ）は一本の入力ペン４０１のみ使用している画面状態を示す。図３（ａ）に示すように、スクリーンＳＣの被投写面上（スクリーンＳＣ上とも称する）の全画面領域に入力ペン４０１の入力可能範囲Ａ１が設定されており、入力可能範囲Ａ１内を入力ペン４０１で描画操作することにより、軌跡Ｄ１が表示される。
図３（ｂ）は入力ペン４０１の使用中に他の入力ペン４０２を使用開始した状態を示す。図３（ｂ）に示すように、スクリーンＳＣ上の入力ペン４０１の入力可能範囲Ａ１は図３（ａ）の状態から縮小され、新たに入力ペン４０２の入力可能範囲Ａ２が設定される。この状態では入力ペン４０１の軌跡Ｄ１は入力可能範囲Ａ１内にのみ、入力ペン４０２の軌跡Ｄ２は入力可能範囲Ａ２内にのみそれぞれ表示される。
【００２１】
図４は本実施形態のプロジェクター１の回路構成を示すブロック図である。
図４に示すように、プロジェクター１は、画像入力端子６、画像投写手段１０、ＯＳＤ処理手段１６、画像信号処理手段１７、画像信号入力手段１８、制御手段２０、記憶手段２１、光源制御手段２２、入力操作手段２３、ペン操作検出手段２５、通知手段２６、電源端子３０、電源部３１等で構成されており、これらはプロジェクター１の図示しない筐体の内部、または外面に収容されている。
【００２２】
画像投写手段１０は、光源１１、光変調装置としての３つの液晶ライトバルブ１２（１２Ｒ，１２Ｇ，１２Ｂ）、投写光学系としての投写レンズ１３、液晶駆動手段１４等を含んでいる。画像投写手段１０は、光源１１から射出された光を、液晶ライトバルブ１２Ｒ，１２Ｇ，１２Ｂで変調し、投写レンズ１３から投写することによって操作面としてのスクリーンＳＣに画像を表示する。
【００２３】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。
光源１１から射出された光は、図示しないインテグレーター光学系によって輝度分布が略均一な光に変換され、図示しない色分離光学系によって光の３原色である赤色（Ｒ），緑色（Ｇ），青色（Ｂ）の各色光成分に分離された後、それぞれ液晶ライトバルブ１２Ｒ，１２Ｇ，１２Ｂに入射する。
【００２４】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリックス状に配列された複数の画素（図示せず）が形成されており、液晶に対して画素毎に駆動電圧を印加可能になっている。
液晶駆動手段１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。
形成された各色の画像光は、図示しない色合成光学系によって画素毎に合成されてカラーの画像光となった後、投写レンズ１３によってスクリーンＳＣ等に拡大投写される。
【００２５】
本実施形態では、光源１１として光源ランプ１１ａを用いて投写するプロジェクター１を例示したが、本発明は光源としてＬＥＤ光源やレーザー光源などを用いて投写するプロジェクターにも適用することができる。
【００２６】
なお、本実施形態では、画像投写手段１０は、光変調装置としての３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００２７】
画像信号入力手段１８は、複数の画像入力端子６より、ビデオ再生装置やパーソナルコンピューター等、外部の画像出力装置から、図示しないケーブル、又は通信機器などを介して画像情報が入力される。入力された画像情報は、制御手段２０の指示に基づき、画像信号処理手段１７に出力される。
【００２８】
画像信号処理手段１７は、画像信号入力手段１８から入力される画像情報を、液晶ライトバルブ１２Ｒ，１２Ｇ，１２Ｂの各画素の階調を表す画像情報に変換する。ここで、変換された画像情報は、赤（Ｒ），緑（Ｇ），青（Ｂ）の色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素を透過し射出する光の強弱（階調）が規定される。
【００２９】
ＯＳＤ処理手段１６は、制御手段２０の指示に基づいて、投写画像上にメニュー画像やメッセージ画像等のＯＳＤ（オンスクリーンディスプレイ）画像を重畳して表示するための処理を行う。ＯＳＤ処理手段１６は、図示しないＯＳＤメモリーを備えており、ＯＳＤ画像を形成するための図形やフォント等を表すＯＳＤ画像情報を記憶している。
【００３０】
制御手段２０が、ＯＳＤ画像の重畳表示を指示すると、ＯＳＤ処理手段１６は、必要なＯＳＤ画像情報をＯＳＤメモリーから読み出し、投写画像上の所定の位置にＯＳＤ画像が重畳されるように、画像信号処理手段１７から入力される画像情報にこのＯＳＤ画像情報を合成する。ＯＳＤ画像情報が合成された画像情報は、液晶駆動手段１４に出力される。
なお、制御手段２０からＯＳＤ画像を重畳する旨の指示がない場合には、ＯＳＤ処理手段１６は、画像信号処理手段１７から入力される画像情報を、そのまま液晶駆動手段１４に出力する。
【００３１】
液晶駆動手段１４は、ＯＳＤ処理手段１６から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像を形成し、この画像が投写レンズ１３から投写される。
【００３２】
制御手段２０は、ＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１の動作を統括制御する。つまり、制御手段２０は、記憶手段２１とともにコンピューターとして機能する。
制御手段２０は、複数の入力ペン４０による入力操作の、各々の座標入力可能範囲（入力可能範囲）を設定する入力範囲設定手段２０１と、複数の入力ペン４０各々の優先度を設定する優先度設定手段２０２と、時間を計時する複数のタイマー２０３を備える。それぞれのタイマー２０３は各入力ペン４０に対応する。
【００３３】
記憶手段２１は、フラッシュメモリーやＦｅＲＡＭ等の書き換え可能な不揮発性のメモリーにより構成されており、プロジェクター１の動作を制御するための制御プログラムや、プロジェクター１の動作条件等を規定する各種設定データ等が記憶されている。本実施形態では、入力ペン４０各々が使用中であるかを示す複数のペン使用中フラグ２１１が記憶される。各入力ペン４０が使用中の場合に、対応するペン使用中フラグ２１１がセットされる。
【００３４】
光源制御手段２２は、制御手段２０の指示に基づいて、光源１１に対する電力の供給と停止とを制御し、光源１１の点灯、及び消灯を切り替える。
【００３５】
入力操作手段２３は、ユーザーがプロジェクター１に対して各種指示を行うための複数の操作キーを備えている。入力操作手段２３が備える操作キーとしては、電源のオン・オフを交互に切り替えるための電源キーや、複数の画像入力端子６を切り替えるための入力切替キー、設定メニュー等を重畳表示させるためのメニューキー、設定メニュー等で項目の選択に用いられる方向キー（上下左右に対応する４つの操作キー）、選択された項目を確定させる決定キー、動作の取り消し等を行うための取消キー等がある。
【００３６】
ユーザーが入力操作手段２３の各種操作キーを操作すると、入力操作手段２３は、ユーザーの操作内容に応じた操作信号を制御手段２０に出力する。なお、入力操作手段２３は、リモートコントローラー（リモコン）信号受信手段（図示せず）と遠隔操作が可能なリモートコントローラー（図示せず）を有した構成としてもよい。
この場合、リモートコントローラーは、ユーザーの操作内容に応じた赤外線等の操作信号を発し、リモコン信号受信手段がこれを受信して制御情報として制御手段２０に伝達する。
【００３７】
ペン操作検出手段２５は操作検出手段に相当し、図示しない撮像素子などで構成され、制御手段２０の指示に基づいて、複数の入力ペン４０の操作位置（座標）、および図２の各スイッチ（４０Ｂ，４０Ｃ）の押下状態などのペン操作状態を検出し、検出したペン操作情報を制御手段２０に通知する。
【００３８】
通知手段２６は、赤外線などによる無線通信部（図示せず）を備え、ある入力ペン４０の使用状態を他の入力ペン４０に通知する。入力ペン４０は通信手段４０Ｅによって使用状態を受け付け、状態表示手段４０Ｄにより表示する（図２参照）。
【００３９】
電源部３１には、ＡＣ１００Ｖ等の電力が電源端子３０を介して外部から供給される。電源部３１は、例えば、商用電源（交流電源）を所定の電圧の直流電源に変換して、プロジェクター１の各部に電力を供給する。また、電源部３１は、制御手段２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００４０】
本実施形態において、制御手段２０、記憶手段２１、入力操作手段２３、ペン操作検出手段２５、通知手段２６が情報処理装置に相当する。
【００４１】
次に、本実施形態のプロジェクター１の動作を図５、および図６のフローチャートを用いて説明する。図５はプロジェクター１が動作中に入力ペン４０の入力操作を検出した場合、図６は入力ペン４０の入力操作を最後に検出してから所定時間を経過した場合の動作を示す。
【００４２】
［入力ペンの入力操作を検出した場合］
図５に示すように、プロジェクター１が動作中において、スクリーンＳＣの被投写面に対して、ペン操作検出手段２５による入力ペン４０の入力操作を検出すると（ステップＳ１０１）、ステップＳ１０２に遷移する。本操作フローでは、最初に入力操作が検出された入力ペン４０を「一の入力ペン４０」と呼ぶ。ステップＳ１０１が操作検出ステップに相当する。なお、入力範囲設定手段２０１にはそれぞれの入力ペン４０の入力可能範囲が予め設定されているものとする。
【００４３】
ステップＳ１０２において制御手段２０は、一の入力ペン４０に対応するペン使用中フラグ２１１をセットし、ステップＳ１０３に遷移する。
【００４４】
ステップＳ１０３において制御手段２０は、一の入力ペン４０に対応するタイマー２０３による計時を開始し、ステップＳ１０４に遷移する。
【００４５】
ステップＳ１０４において制御手段２０は、他の入力ペン４０のペン使用中フラグ２１１がセットされているか否かを調べる。他の入力ペン４０のペン使用中フラグ２１１がセットされている場合（ステップＳ１０４：Ｙ）、ステップＳ１０５に遷移する。他の入力ペン４０のペン使用中フラグ２１１がセットされていない（クリアされている）場合（ステップＳ１０４：Ｎ）、ステップＳ１０８に遷移する。
【００４６】
ステップＳ１０５において制御手段２０は、優先度設定手段２０２により、一の入力ペン４０の優先度が他の入力ペン４０より低いか否かを調べる。一の入力ペン４０の優先度が他の入力ペン４０より低い場合（ステップＳ１０５：Ｙ）、ステップＳ１１１に遷移する。一の入力ペン４０の優先度が他の入力ペン４０より低くない場合、即ち優先度が同じ、または高い場合（ステップＳ１０５：Ｎ）、ステップＳ１０６に遷移する。
【００４７】
ステップＳ１０６において制御手段２０は、一の入力ペン４０が使用中であることを通知手段２６により使用中の他の入力ペン４０に通知させ、ステップＳ１０７に遷移する。なお、各入力ペン４０の優先度により、優先度が低く、操作が無効になる入力ペン４０にのみ通知するようにしてもよい。
【００４８】
ステップＳ１０７において入力範囲設定手段２０１は、ペン使用中フラグ２１１による各ペンの使用状況に基づき、各入力ペン４０の使用状態に応じて、各入力ペン４０の入力可能範囲を変更して設定し、ステップＳ１０８に遷移する。ステップＳ１０７、および後述するステップＳ２０５が入力範囲変更ステップに相当する。
【００４９】
ステップＳ１０８において制御手段２０は、ステップＳ１０１において検出した、一の入力ペン４０の入力操作の座標（操作座標）が、入力範囲設定手段２０１により設定された入力可能範囲内か否かを調べる。一の入力ペン４０の操作座標が入力可能範囲内の場合（ステップＳ１０８：Ｙ）、ステップＳ１０９に遷移する。一の入力ペン４０の操作座標が入力可能範囲内ではない場合（ステップＳ１０８：Ｎ）、ステップＳ１１０に遷移する。
【００５０】
ステップＳ１０９において制御手段２０は、ステップＳ１０１において検出した、一の入力ペン４０の操作座標に基づく入力操作を受け付けて実行し、ステップＳ１１０に遷移する。
【００５１】
ステップＳ１１１において制御手段２０は、他の入力ペン４０が使用中であることを通知手段２６により一の入力ペン４０に通知させ、ステップＳ１１０に遷移する。
【００５２】
ステップＳ１１０において本動作フローを終了する。
【００５３】
上記の、ステップＳ１０４およびステップＳ１０５で説明したように、一の入力ペン４０の入力操作を検出した場合、他に使用中の入力ペン４０があり、一の入力ペン４０の優先度が使用中の他の入力ペン４０より低い場合、入力操作は受け付けられず、無効となる。
【００５４】
［入力ペンの入力操作を最後に検出してから所定時間経過した場合］
図６に示すように、プロジェクター１が一の入力ペン４０の入力操作を最後に検出してから所定時間Ｔ１（例えば１５秒）を経過したことをタイマー２０３によって検出すると（ステップＳ２０１）、ステップＳ２０２に遷移する。
【００５５】
ステップＳ２０２において制御手段２０は、一の入力ペン４０に対応するタイマー２０３による計時を終了し、ステップＳ２０３に遷移する。
【００５６】
ステップＳ２０３において制御手段２０は、一の入力ペン４０に対応するペン使用中フラグ２１１をクリアし、ステップＳ２０４に遷移する。
【００５７】
ステップＳ２０４において制御手段２０は、一の入力ペン４０が使用中ではないことを通知手段２６により使用中の他の入力ペン４０に通知させ、ステップＳ２０５に遷移する。
【００５８】
ステップＳ２０５において入力範囲設定手段２０１は、ペン使用中フラグ２１１による各入力ペン４０の使用状況に基づき、各入力ペン４０の入力可能範囲を入力範囲設定手段２０１により設定し、ステップＳ２０６に遷移する。
【００５９】
ステップＳ２０６において、本動作フローを終了する。
【００６０】
なお、図５、および図６の動作フローにおいて説明したように、入力ペン４０が「使用中である」とは、ステップＳ１０２においてペン使用中フラグ２１１がセットされている状態であり、最後に入力ペン４０の入力操作を検出してから所定時間Ｔ１以上経過した場合、ステップＳ２０３においてペン使用中フラグ２１１がクリアされ、入力ペン４０が使用中ではない、状態となる。
【００６１】
以上、説明したように、本実施形態のプロジェクター１によれば、複数の入力ペン４０をプロジェクター１の投写画面上で操作する場合、それぞれの入力ペン４０の入力可能範囲が予め設定され、ある入力ペン４０を操作している場合に、他の入力ペン４０の操作が検出されたとき、それぞれの入力ペン４０の入力可能範囲を変更する。
これにより、一つの入力ペン４０を操作する場合は投写画面上の大きな範囲で入力でき、複数の入力ペン４０が使われる場合はそれぞれの入力ペン４０の入力範囲を分けることで操作画像が重なることを防ぐことが可能となる。
【００６２】
また、優先度の高い入力ペン４０が操作されている間は、優先度の低い入力ペン４０の入力操作を無効とする。これにより、複数の入力ペン４０を使用する場合、優先度の高い入力ペン４０による入力操作が優先度の低い他の入力ペン４０の入力操作により妨げられることを防止することが可能となる。
【００６３】
またスクリーンＳＣ上で複数の入力ペン４０が使用される場合に、他に使用されている入力ペン４０があることを通知し、入力操作範囲に注意することを促すことが可能となる。
【００６４】
また、本実施形態は、以下のように変更してもよい。
（変形例１）
上記実施形態において、入力範囲設定手段２０１により設定される、各入力ペン４０の入力可能範囲は矩形状で隣接しているが、一方の入力ペン４０の入力可能範囲内に、他方の入力ペン４０の入力可能範囲が含まれるようにしてもよい。
図７に本変形例のプロジェクター１の入力ペン４０の入力可能範囲を示す。図７に示すように、入力ペン４０１の入力可能範囲Ａ１内に、入力ペン４０２の入力可能範囲Ａ２が含まれている。これにより、例えば学校の授業で、先生はスクリーンＳＣの全領域に入力でき、生徒が回答欄に記入を始めると先生はその部分に入力禁止になり、生徒が入力を終えると、入力できる、というような使い方が可能になる。
本例では、入力可能範囲Ａ２には入力ペン４０２のみ入力可能だが、入力ペン４０１、４０２の両方とも入力可能としてもよい。
【符号の説明】
【００６５】
１…プロジェクター、６…画像入力端子、１０…画像投写手段、１１…光源、１２Ｒ，１２Ｇ，１２Ｂ…液晶ライトバルブ、１３…投写レンズ、１４…液晶駆動手段、１６…ＯＳＤ処理手段、１７…画像信号処理手段、１８…画像信号入力手段、２０…制御手段、２０１…入力範囲設定手段、２０２…優先度設定手段、２０３…タイマー、２１…記憶手段、２１１…ペン使用中フラグ、２２…光源制御手段、２３…入力操作手段、２５…ペン操作検出手段、２６…通知手段、３０…電源端子、３１…電源部、４０，４０１，４０２…入力ペン、４０Ａ…筐体、４０Ｂ…先端スイッチ、４０Ｃ…操作スイッチ、４０Ｄ…状態表示手段、４０Ｅ…通信手段。
【図１】
2014099023.tif 000003
【図２】
2014099023.tif 000004
【図３】
2014099023.tif 000005
【図４】
2014099023.tif 000006
【図５】
2014099023.tif 000007
【図６】
2014099023.tif 000008
【図７】
2014099023.tif 000009